(57)【要約】【課題】合成桁においてコンクリート床版を鋼桁から簡単に取り外すことができるようにする。【解決手段】鋼桁２の上フランジ２１に穿設した貫通孔２１ａにはＵ字状のねじ節鉄筋４を挿通すると共に、該上フランジ２１の上側と下側においては該ねじ節鉄筋４に上側ナット部材５と下側ナット部材６とを螺合しておき、これらのねじ節鉄筋４及びナット部材５，６によって該鋼桁２とコンクリート床版３とを結合するようにしておく。該ねじ節鉄筋４の下部の折れ曲がり部４ｂを切断により除去すると共に、該下側ナット部材６を該ねじ節鉄筋４から取り外すだけで、該コンクリート床版３と該鋼桁２との結合が解除されるので、該コンクリート床版３を該鋼桁２から簡単に取り外すことができる。【選択図】図１
2018135716.tif 000002
【特許請求の範囲】
【請求項１】
鋼桁とコンクリート床版とを結合する、鋼桁と床版の結合構造において、
前記鋼桁の上フランジに穿設された貫通孔に挿通された状態に配置されると共に下端部が略水平に折り曲げられてなるねじ節鉄筋と、
該上フランジの上面及び下面に当接するように前記ねじ節鉄筋に螺合されることにより該ねじ節鉄筋を該上フランジに固定せしめてなる上側ナット部材及び下側ナット部材と、
を備え、
前記ねじ節鉄筋の上端部を含む部分は前記コンクリート床版に埋設されてなる、
ことを特徴とする鋼桁と床版の結合構造。
【請求項２】
前記ねじ節鉄筋は略Ｕ字状、略Ｌ字状又は略Ｊ字状をしている、
ことを特徴とする請求項１に記載の鋼桁と床版の結合構造。
【請求項３】
鋼桁にコンクリート床版を結合する、鋼桁と床版の結合方法において、
下端部が略水平に折り曲げられてなると共に該下端部の上方にて下側ナット部材が螺合されてなるねじ節鉄筋を該下側ナット部材が前記鋼桁の上フランジの下面に当接するように該上フランジに穿設された貫通孔に挿通する工程と、
上側ナット部材を該上フランジの上面に当接されるように前記ねじ節鉄筋に螺合することにより該ねじ節鉄筋を該上フランジに固定する工程と、
前記ねじ節鉄筋の上端部を含む部分を埋設するように前記コンクリート床版を構築する工程と、
を備えたことを特徴とする鋼桁と床版の結合方法。
【請求項４】
前記ねじ節鉄筋は略Ｕ字状、略Ｌ字状又は略Ｊ字状をしている、
ことを特徴とする請求項３に記載の鋼桁と床版の結合方法。
【請求項５】
鋼桁に結合されているコンクリート床版を該鋼桁から撤去する床版の撤去方法において、
上端部を含む部分が前記コンクリート床版に埋設されると共に前記鋼桁の上フランジに穿設された貫通孔から下方に垂下された下端部が略水平に折り曲げられてなるねじ節鉄筋の該折り曲げられた部分を除去する工程と、
該上フランジの下面に当接するように前記ねじ節鉄筋に螺合されている下側ナット部材を該ねじ節鉄筋から取り外す工程と、
前記コンクリート床版を略上方に持ち上げて該コンクリート床版を前記鋼桁から取り外す工程と、
を備えたことを特徴とする床版の撤去方法。
【請求項６】
前記ねじ節鉄筋は略Ｕ字状、略Ｌ字状又は略Ｊ字状をしている、
ことを特徴とする請求項５に記載の床版の撤去方法。
【発明の詳細な説明】
【技術分野】
【０００１】
本発明は、鋼桁とコンクリート床版とを結合する鋼桁と床版の結合構造、鋼桁と床版の結合方法、及び床版の撤去方法に関する。
【背景技術】
【０００２】
従来、道路橋においては、鋼桁とコンクリート床版とにより構成された合成桁が多く使用されているが、その鋼桁と床版の結合構造についても種々のものが提案されている（例えば、特許文献１参照）。
【０００３】
図５は、合成桁の全体構造の一例を示す断面図であり、図６は、鋼桁とコンクリート床版との結合構造の一例を示す斜視図であり、図中の符号１０３はコンクリート床版を示し、符号１０２は、該コンクリート床版１０３を支持する鋼桁を示している。この鋼桁１０２の上面には頭付きスタッドジベル１０４が複数突設されていて、それらの頭付きスタッドジベル１０４は該コンクリート床版１０３に埋設されているので、該鋼桁１０２と該コンクリート床版１０３とは堅固に結合されることとなる。
【先行技術文献】
【特許文献】
【０００４】
【特許文献１】特開２００４−１１２９４号公報
【発明の概要】
【発明が解決しようとする課題】
【０００５】
ところで、このコンクリート床版１０３は鋼桁１０２に比べて早く劣化する傾向にある。例えば、寒冷地においては路面の凍結防止のために塩化カルシウム等の凍結防止剤が散布されるが、その散布によってコンクリート床版１０３が劣化してしまう。そのため、ある程度の年数が経った時点で劣化したコンクリート床版１０３を鋼桁１０２から取り外して新しいコンクリート床版１０３に取り替える必要がある。しかしながら、図６に例示したような構造のものでは、頭付きスタッドジベル１０４によって前記鋼桁１０２と前記コンクリート床版１０３とが堅固に結合されているために、該コンクリート床版１０３を取り外すことが難しく、その作業に多くの時間が掛かってしまうという問題があった。
【０００６】
本発明は、上述の問題を解消することのできる鋼桁と床版の結合構造、鋼桁と床版の結合方法、及び床版の撤去方法を提供することを目的とするものである。
【課題を解決するための手段】
【０００７】
本発明の第１の観点は、図１に例示するものであって、鋼桁（２）とコンクリート床版（３）とを結合する、鋼桁と床版の結合構造（１）において、
前記鋼桁（２）の上フランジ（２１）に穿設された貫通孔（２１ａ）に挿通された状態に配置されると共に下端部（４ｂ）が略水平に折り曲げられてなるねじ節鉄筋（４）と、
該上フランジ（２１）の上面（２１ｂ）及び下面（２１ｃ）に当接するように前記ねじ節鉄筋（４）に螺合されることにより該ねじ節鉄筋（４）を該上フランジ（２１）に固定せしめてなる上側ナット部材（５）及び下側ナット部材（６）と、
を備え、
前記ねじ節鉄筋（４）の上端部（４ａ）を含む部分は前記コンクリート床版（３）に埋設されてなることを特徴とする。
【０００８】
本発明の第２の観点は、前記ねじ節鉄筋は略Ｕ字状、略Ｌ字状又は略Ｊ字状（図４の符号１４参照）をしていることを特徴とする。
【０００９】
本発明の第３の観点は、鋼桁（２）にコンクリート床版（３）を結合する、鋼桁と床版の結合方法において、
下端部（４ｂ）が略水平に折り曲げられてなると共に該下端部（４ｂ）の上方にて下側ナット部材（６）が螺合されてなるねじ節鉄筋（４）を該下側ナット部材（６）が前記鋼桁（２）の上フランジ（２１）の下面（２１ｃ）に当接するように該上フランジ（２１）に穿設された貫通孔（２１ａ）に挿通する工程（図２（ａ）参照）と、
上側ナット部材（５）を該上フランジ（２１）の上面（２１ｂ）に当接されるように前記ねじ節鉄筋（４）に螺合することにより該ねじ節鉄筋（４）を該上フランジ（２１）に固定する工程（図２（ｂ）参照）と、
前記ねじ節鉄筋（４）の上端部（４ａ）を含む部分を埋設するように前記コンクリート床版（３）を構築する工程（図２（ｃ）参照）と、を備えたことを特徴とする。
【００１０】
本発明の第４の観点は、前記ねじ節鉄筋は略Ｕ字状、略Ｌ字状又は略Ｊ字状（図４の符号１４参照）をしていることを特徴とする。
【００１１】
本発明の第５の観点は、鋼桁（２）に結合されているコンクリート床版（３）を該鋼桁（２）から撤去する床版の撤去方法において、
上端部（４ａ）を含む部分が前記コンクリート床版（３）に埋設されると共に前記鋼桁（２）の上フランジ（２１）に穿設された貫通孔（２１ａ）から下方に垂下された下端部（４ｂ）が略水平に折り曲げられてなるねじ節鉄筋（４）の該折り曲げられた部分を除去する工程（図３（ａ）参照）と、
該上フランジ（２１）の下面（２１ｃ）に当接するように前記ねじ節鉄筋（４）に螺合されている下側ナット部材（６）を該ねじ節鉄筋（４）から取り外す工程（図３（ｂ）参照）と、
前記コンクリート床版（３）を略上方に持ち上げて該コンクリート床版（３）を前記鋼桁（２）から取り外す工程（図３（ｃ）参照）と、を備えたことを特徴とする。
【００１２】
本発明の第６の観点は、前記ねじ節鉄筋は略Ｕ字状、略Ｌ字状又は略Ｊ字状（図４の符号１４参照）をしていることを特徴とする。
【００１３】
なお、括弧内の番号などは、図面における対応する要素を示す便宜的なものであり、従って、本記述は図面上の記載に限定拘束されるものではない。
【発明の効果】
【００１４】
上記した第１乃至６の観点によれば、前記コンクリート床版を前記鋼桁から簡単に取り外すことができる。
【図面の簡単な説明】
【００１５】
【図１】図１は、本発明に係る鋼桁と床版の結合構造の一例を示す断面図である。
【図２】図２（ａ）〜（ｃ）は、鋼桁と床版の結合方法の一例を示す模式図である。
【図３】図３（ａ）〜（ｃ）は、本発明に係る床版の撤去方法の一例を示す模式図である。
【図４】図４は、本発明に係る鋼桁と床版の結合構造の他の例を示す断面図である。
【図５】図５は、合成桁の全体構造の一例を示す断面図である。
【図６】図６は、鋼桁とコンクリート床版との結合構造の一例を示す斜視図である。
【発明を実施するための形態】
【００１６】
以下、図１乃至図４に沿って、本発明の実施の形態について説明する。
【００１７】
本発明に係る鋼桁と床版の結合構造は、図１に符号１で例示するものであって、鋼桁２とコンクリート床版３とを結合するものである。該鋼桁２の上フランジ２１には上下に貫通する貫通孔２１ａが複数穿設されており、各貫通孔２１ａにはねじ節鉄筋４がそれぞれ挿通されている。このねじ節鉄筋４は、外周面にネジが形成されている鉄筋（つまり、リブがネジになっている鉄筋）であってネジ棒を含む概念であり、その下端部は略水平に折り曲げられている。そして、該ねじ節鉄筋４には、前記上フランジ２１の上面２１ｂに当接するように上側ナット部材５が螺合されると共に該上フランジ２１の下面２１ｃに当接するように下側ナット部材６が螺合されており、該ねじ節鉄筋４はこれらのナット部材５，６によって該上フランジ２１に固定されるようになっている。さらに、該ねじ節鉄筋４の上端部４ａを含む部分は前記コンクリート床版３に埋設されている。またさらに、前記下側ナット部材６は、前記ねじ節鉄筋４におけるできるだけ下の位置に螺合しておくと良い。そのようにした場合には、該下側ナット部材６は前記折り曲げ部分４ｂに当接されるので該下側ナット部材６の緩みが防止される。
【００１８】
本発明に係る鋼桁と床版の結合方法は鋼桁２にコンクリート床版３を結合する方法であって、
・  上述したねじ節鉄筋４（つまり、下端部４ｂが略水平に折り曲げられてなるねじ節鉄筋４）の該下端部４ｂよりも上方に前記下側ナット部材６を螺合する工程と、
・  該下側ナット部材６が前記鋼桁２の上フランジ２１の下面２１ｃに当接するように該ねじ節鉄筋４を前記貫通孔２１ａ（つまり、前記上フランジ２１に穿設された貫通孔２１ａ）に挿通する工程（図２（ａ）参照）と、
・  上側ナット部材５を該上フランジ２１の上面２１ｂに当接されるように前記ねじ節鉄筋４に螺合することにより該ねじ節鉄筋４を該上フランジ２１に固定する工程（図２（ｂ）参照）と、
・  前記ねじ節鉄筋４の上端部４ａを含む部分を埋設するように前記コンクリート床版３を構築する工程（図２（ｃ）参照）と、
を備えている。
【００１９】
本発明に係る床版の撤去方法は、鋼桁２に結合されているコンクリート床版３を該鋼桁２から撤去する方法であって、
・  上述したねじ節鉄筋４（つまり、上端部４ａを含む部分が前記コンクリート床版３に埋設されると共に前記鋼桁２の上フランジ２１に穿設された貫通孔２１ａから下方に垂下された下端部４ｂが略水平に折り曲げられてなるねじ節鉄筋４）における該折り曲げられた部分４ｂを切断により除去する工程（図３（ａ）参照）と、
・  前記下側ナット部材６（つまり、該上フランジ２１の下面２１ｃに当接するように前記ねじ節鉄筋４に螺合されている下側ナット部材６）を該ねじ節鉄筋４から取り外す工程（図３（ｂ）参照）と、
・  前記コンクリート床版３を略上方に持ち上げて該コンクリート床版３を前記鋼桁２から取り外す工程（図３（ｃ）参照）と、
を備えている。
【００２０】
本発明によれば、前記ねじ節鉄筋４の下端部４ｂ（つまり、略水平に折り曲げられた部分）を除去すると共に前記下側ナット部材６を該ねじ節鉄筋４から取り外すことにより前記コンクリート床版３と前記鋼桁２との結合が解かれるので、該コンクリート床版３を該鋼桁２から簡単に取り外すことができる。また、前記ねじ節鉄筋４は、表面に凹凸があるために引き抜き等に対する抵抗力に優れており、該コンクリート床版３と該鋼桁２との結合力を高めることができる。さらに、該コンクリート床版３を該鋼桁２にナット部材（下側ナット部材６）の螺合力だけで固定するようにした場合には、前記コンクリート床版３上を通行する車両からの振動等によって該ナット部材が緩むおそれがあるが、本発明によれば、前記ねじ節鉄筋４の下端部４ｂは略水平に折り曲げられているために該ナット部材が抜け落ちてしまうおそれが少ない。
【００２１】
なお、図１乃至３に例示するねじ節鉄筋４は略Ｕ字状をしているが、図４に符号１４で例示するように略Ｌ字状や略Ｊ字状をしていても良い。
【符号の説明】
【００２２】
１                            鋼桁と床版の結合構造
２                            鋼桁
３                            コンクリート床版
４                            ねじ節鉄筋
４ａ                          ねじ節鉄筋の上端部
４ｂ                          ねじ節鉄筋の下端部
５                            上側ナット部材
６                            下側ナット部材
１４                          ねじ節鉄筋
２１                          上フランジ
２１ａ                        貫通孔
２１ｂ                        上フランジの上面
２１ｃ                        上フランジの下面
【図１】
2018135716.tif 000003
【図２】
2018135716.tif 000004
【図３】
2018135716.tif 000005
【図４】
2018135716.tif 000006
【図５】
2018135716.tif 000007
【図６】
2018135716.tif 000008